(57)【要約】【課題】入力カラー画像信号から出力カラー画像信号へ変換する場合の色補正において、人間の視覚特性とのずれをなくし、かつ補正内容を定量的に把握することが可能な画像処理装置を提供することを目的とする。【解決手段】第１のデバイスを介して入力される画像信号を、第２のデバイスを介して出力される画像信号へ色変換可能な画像処理装置であって、前記入力される所定の画像信号の、前記第１のデバイスにおける均等表色系の色空間座標を算出する色座標算出手段と、前記算出された色空間座標における色相角を補正する補正手段と、前記補正された色相角に基づいて、色変換のためのプロファイルを生成するプロファイル生成手段と、を備え、前記補正手段は、人間の視覚において同じ色相に見える色相角の範囲内（１８０５、１８１８、１８３１）において補正可能であることを特徴とする。【選択図】　図１８
2004104604.tif 000002
【特許請求の範囲】
【請求項１】
第１のデバイスを介して入力される画像信号を、第２のデバイスを介して出力される画像信号へ色変換可能な画像処理装置であって、
前記入力される所定の画像信号の、前記第１のデバイスにおける均等表色系の色空間座標を算出する色座標算出手段と、
前記算出された色空間座標における色相角を補正する補正手段と、
前記補正された色相角に基づいて、色変換のためのプロファイルを生成するプロファイル生成手段と、を備え、
前記補正手段は、人間の視覚において同じ色相に見える色相角の範囲内において補正可能であることを特徴とする画像処理装置。
【請求項２】
色の属性を示す色属性情報ごとに、ＨＶＣ色空間における色相と、該色相と同じ色味をもつ範囲を表す許容域色相とを設定する設定手段と、
前記入力される所定の画像信号の、前記入力デバイスにおける均等表色系の色空間座標に基づいて、色属性を判別する判別手段と、
前記入力される所定の画像信号の、前記入力デバイスにおける均等表色系の色空間座標に基づいて、該画像信号のＨＶＣ色空間における彩度情報および明度情報を算出する明度・彩度算出手段と、
前記彩度情報と、前記明度情報と、前記判別された色属性に応じた前記許容域色相とに基づいて、該許容域色相の均等表色系の色空間における色座標である許容域色座標を算出する許容域色座標算出手段と、を備え、
前記補正可能な色相角の範囲は、前記許容域色座標の色相角に基づいて設定されることを特徴とする請求項１に記載の画像処理装置。
【請求項３】
前記彩度情報と、前記明度情報と、前記判別された色属性に応じた前記ＨＶＣ色空間における色相とに基づいて、該色相の均等表色系の色空間における色座標である目標色座標を算出する目標色座標算出手段と、
前記目標色座標および前記許容域色座標を表示する表示手段と
を更に備えることを特徴とする請求項２に記載の画像処理装置。
【請求項４】
前記入力される所定の画像信号の、前記入力デバイスにおける均等表色系の色空間座標における色相角と前記目標色座標における色相角との差分と、前記目標色座標における色相角と前記許容域色座標における色相角との差分との比に基づいて、評価値を算出する評価値算出手段を更に備え、
前記表示手段は、該評価値を表示可能であることを特徴とする請求項３に記載の画像処理装置。
【請求項５】
前記入力される所定の画像信号の、前記入力デバイスにおける均等表色系の色空間座標が、前記目標色座標と前記許容域色座標との間にあるか否かを判定する許容域内外判別手段を更に備え、
前記表示手段は、該判定結果を表示可能であることを特徴とする請求項３に記載の画像処理装置。
【請求項６】
前記目標色座標および前記許容域色座標は、前記第２のデバイスにおいて色再現可能な範囲内で算出されることを特徴とする請求項３に記載の画像処理装置。
【請求項７】
第１のデバイスを介して入力される画像信号を、第２のデバイスを介して出力される画像信号へ色変換可能な画像処理装置における画像処理方法であって、
前記入力される所定の画像信号の、前記第１のデバイスにおける均等表色系の色空間座標を算出する色座標算出工程と、
前記算出された色空間座標における色相角を補正する補正工程と、
前記補正された色相角に基づいて、色変換のためのプロファイルを生成するプロファイル生成工程と、を備え、
前記補正工程は、人間の視覚において同じ色相に見える色相角の範囲内において補正可能であることを特徴とする画像処理方法。
【請求項８】
色の属性を示す色属性情報ごとに、ＨＶＣ色空間における色相と、該色相と同じ色味をもつ範囲を表す許容域色相とを設定する設定工程と、
前記入力される所定の画像信号の、前記入力デバイスにおける均等表色系の色空間座標に基づいて、色属性を判別する判別工程と、
前記入力される所定の画像信号の、前記入力デバイスにおける均等表色系の色空間座標に基づいて、該画像信号のＨＶＣ色空間における彩度情報および明度情報を算出する明度・彩度算出工程と、
前記彩度情報と、前記明度情報と、前記判別された色属性に応じた前記許容域色相とに基づいて、該許容域色相の均等表色系の色空間における色座標である許容域色座標を算出する許容域色座標算出工程と、を備え、
前記補正可能な色相角の範囲は、前記許容域色座標の色相角に基づいて設定されることを特徴とする請求項７に記載の画像処理方法。
【請求項９】
前記彩度情報と、前記明度情報と、前記判別された色属性に応じた前記ＨＶＣ色空間における色相とに基づいて、該色相の均等表色系の色空間における色座標である目標色座標を算出する目標色座標算出工程と、
前記目標色座標および前記許容域色座標を表示する表示工程と
を更に備えることを特徴とする請求項８に記載の画像処理方法。
【請求項１０】
前記入力される所定の画像信号の、前記入力デバイスにおける均等表色系の色空間座標における色相角と前記目標色座標における色相角との差分と、前記目標色座標における色相角と前記許容域色座標における色相角との差分との比に基づいて、評価値を算出する評価値算出工程を更に備え、
前記表示工程により、該評価値を表示可能であることを特徴とする請求項９に記載の画像処理方法。
【請求項１１】
前記入力される所定の画像信号の、前記入力デバイスにおける均等表色系の色空間座標が、前記目標色座標と前記許容域色座標との間にあるか否かを判定する許容域内外判別工程を更に備え、
前記表示工程により、該判定結果を表示可能であることを特徴とする請求項９に記載の画像処理方法。
【請求項１２】
前記目標色座標および前記許容域色座標は、前記第２のデバイスにおいて色再現可能な範囲内で算出されることを特徴とする請求項９に記載の画像処理方法。
【請求項１３】
請求項７乃至１２のいずれか１つに記載の画像処理方法をコンピュータによって実現させるための制御プログラムを格納した記憶媒体。
【請求項１４】
請求項７乃至１２のいずれか１つに記載の画像処理方法をコンピュータによって実現させるための制御プログラム。
【発明の詳細な説明】
【０００１】
【発明の属する技術分野】
本発明は入力手段によって入力されたカラー画像信号に対して色補正処理を行い、出力手段に適した色を生成する技術に関する。
【０００２】
【従来の技術】
入力画像信号に対して色補正を行い、出力機器における出力色を生成するにあたり、従来は、例えば、特開平８−２５６２７５号公報に開示されているように、測色器を用いて入力した入力画像信号より、均等表色系であるＬａｂ色空間やＬＣＨ色空間における座標値を獲得し、目標色の座標値（目標色座標値）との距離（ΔＥ）を指標としてＬａｂ色空間やＬＣＨ色空間における色相角を補正したり、あるいは目標色座標値を直接入力したりしていた（このように、色補正を行うために入力する色相角や目標色座標値を総称して「色補正値」と呼ぶ）。以下に、従来の色補正処理を実現するための画像処理装置について説明する。
【０００３】
図２９は画像処理装置の概略構成を示すブロック図である。同図において、２９０１はＣＰＵであり、ＲＯＭ２９０２に記憶されている情報データや制御プログラム、ＯＳ（オペレーティングシステム）、アプリケーションプログラム（以下、アプリケーションという）、カラーマッチング処理モジュール、デバイスドライバ等に従って、ＲＡＭ２９０３、操作部２９０４、画像処理部２９０５、モニタ２９０６、入力デバイスＩ／Ｆ２９０７、出力デバイスＩ／Ｆ２９０８の各種制御を行う。
【０００４】
２９０７はＣＣＤセンサを含むイメージスキャナ等の画像読取装置や測色器等と接続可能な入力デバイスＩ／Ｆであり、該入力デバイスＩ／Ｆを介して、プロファイルを作成したい色空間情報を取得する。２９０８は、インクジェットプリンタ、熱転写プリンタ、ドットプリンタ等の出力デバイスと接続可能な出力デバイスＩ／Ｆであり、色補正された画像が該出力デバイスＩ／Ｆを介して出力される。
【０００５】
ＲＡＭ２９０３は各種制御プログラムや操作部２９０４から入力されるデータを保持するための作業領域及び一時待避領域である。２９０４は操作部であり、出力デバイスの設定データの入力や、色補正値の入力を行う。
【０００６】
２９０５は画像処理部であり、入力された色補正値に基づいて色域写像処理を行い、当該処理結果を用いて生成されたプロファイルにより、入力カラー画像信号を出力デバイスにおける画像信号（出力カラー画像信号）に変換する。
【０００７】
２９０６はモニタであり、画像処理部２９０５の画像処理結果や操作部２９０４より入力された色補正値等を表示する。
【０００８】
次に入力カラー画像信号を出力カラー画像信号に変換するためのプロファイルを作成する画像処理部２９０５について以下に説明する。なお、入力カラー画像信号から出力カラー画像信号への変換とは、入力デバイスの入力色空間における色座標値を、出力デバイス（例えばプリンタ）の出力色空間に写像することをいう。
【０００９】
図２は、画像処理部２９０５の詳細を示すブロック図であり、任意の入力色空間における情報を出力色空間に写像するためのプロファイルを生成するプロファイル作成部２０１を備える。
【００１０】
２０９、２１０は端子であり、端子２０９からは出力デバイスであるプリンタの出力色空間を示す色再現域に関する情報（以下、「プリンタ色再現域情報」と称す）が、端子２１０からは入力デバイスの入力色空間を示す色域に関する情報（入力色空間情報）がそれぞれ入力される。
【００１１】
２０４は入力色域記憶装置であり、端子２０９を介して入力された入力色空間情報を記憶する。また、２０５はプリンタ色域記憶装置であり、端子２１０を介して入力されたプリンタ色再現域情報を記憶する。
【００１２】
２０６は写像パラメータ計算装置であり、プリンタ色再現域情報と、入力色空間情報と、ユーザから入力され端子２１３を介して色補正値記憶装置２１４に格納された色補正値とを参照して、後述の色域写像装置２０７において必要な色空間圧縮パラメータの算出を行う。
【００１３】
２０７は色域写像装置であり、入力色空間情報とプリンタ色再現域情報と色空間圧縮パラメータとを用いて、入力カラー画像信号に対して所望の階調を持つ画像品質を再現するように、入力色空間の色域（入力色再現域）をプリンタ色再現域へ写像する。以下、前記写像結果を写像色再現域と呼称する。
【００１４】
２０８はプロファイル作成装置であり、入力色再現域と写像色再現域との対応関係を参照して、入力カラー画像信号（ＲＧＢデータ）から出力カラー画像信号（ＣＭＹＫデータ）に変換するための変換用プロファイルを作成する。そして、作成された変換用プロファイルがＲＡＭ２０２へ書きこまれる。
【００１５】
また、２１１、２１２は端子であり、端子２１１からはＲＧＢデータが補間装置２０３に入力される。補間装置２０３において、ＲＡＭ２０２に格納された変換用プロファイルを参照し、ＲＧＢデータからＣＭＹＫデータへの変換を行い、端子２１２を通じて、出力デバイスＩ／Ｆ２９０８に渡される。
【００１６】
上記構成におけるプロファイル作成部２０１の動作について説明する。なお本説明におけるプロファイル作成部２０１の写像動作においては、均等表色系としてＬ＊ａ＊ｂ＊色空間を用いる。
【００１７】
まず始めに、ＣＰＵ２９０１からの指令により入力デバイスの入力色空間情報ならびに出力デバイスのプリンタ色再現域情報が送信される。送信された２つの情報（入力色空間情報、プリンタ色再現域情報）は、それぞれプロファイル作成部２０１内の入力色域記憶装置２０４とプリンタ色域記憶装置２０５に記憶される。
【００１８】
また、ユーザから入力された色補正値は、端子２１３を介して色補正値記憶装置２１４に格納される。
【００１９】
次に、プロファイル作成部２０１内部が以下の様に動作する。まず、写像パラメータ計算装置２０６が動作し、色補正値記憶装置２１４を参照し、色域写像装置２０７において色空間圧縮をするのに必要な各種パラメータを算出する。写像パラメータ計算装置２０６におけるパラメータ計算が終了すると、色域写像装置２０７が動作し、均等表色系において入力色再現域をプリンタ色再現域へ写像する。本説明における色域写像装置２０７は図３のフローチャートに従って写像処理を行うが、本動作の詳細は後述する。
【００２０】
次に、プロファイル作成装置２０８は最終写像結果であるところの写像色再現域を参照して、入力カラー画像信号から出力カラー画像信号に変換するための変換用プロファイルを作成し、ＲＡＭ２０２へ該変換用プロファイルを書き込む。以上で、一連の動作が終了する。
【００２１】
以下に、色域写像装置２０７における写像処理について、図３のフローチャートを用いて説明する。尚、本説明において、ある色とある色とを結ぶ連続した軌跡を階調線と呼称する。
【００２２】
まずステップＳ３０１にて、入力色再現域の写像を規定する為の標本点を決定する。標本点は、入力色再現域表面の写像を規定する表面標本点と、入力色再現域内部の写像を規定する内部標本点とに分かれる。次にステップＳ３０２にて、表面標本点に関し、プリンタ色再現域の何処に写像すべきかを定める。尚、表面標本点の写像結果は必ずしもプリンタ色再現域の表面に位置するとは限らない。
【００２３】
ステップＳ３０３では、内部標本点に関し、プリンタ色再現域の何処に写像すべきかを定める。但し、内部標本点の写像結果が必ずプリンタ色再現域の内部に位置するよう、写像は制御される。続いてステップＳ３０４にて、所定の異なる２つの表面標本点を結ぶ階調線（以下、表面階調線）を規定する。
【００２４】
ステップＳ３０５では、表面階調線について、プリンタ色再現域の何処に写像すべきかを定める。尚、表面階調線の写像結果は必ずしもプリンタ色再現域の表面に位置するとは限らない。続いてステップＳ３０６にて、所定の異なる２つの内部標本点を結ぶ階調線（以下、内部階調線）を規定する。
【００２５】
ステップＳ３０７では、内部階調線について、プリンタ色再現域の何処に写像すべきかを定める。内部階調線の写像結果は必ずプリンタ色再現域の内部に位置するように、写像は制御される。
【００２６】
最後にステップＳ３０８において、写像色再現域を表現するために所望される色について、入力色再現域から写像色再現域への写像結果を、表面階調線ならびに内部階調線より取得する。
【００２７】
このように、従来の色補正処理を実現する画像処理装置では、実際には、入力色再現域の標本点をプリンタ色再現域に写像した場合の写像点の色座標値に対して補正を行っている。
【００２８】
このため、上述のような構成を有する画像処理装置においては、例えばユーザは写像点のＬａｂ色空間（またはＬＣＨ色空間）における色相角を色補正値として入力することで補正を行っていた。画像処理装置では、色相角が入力されることで補正後の色座標値を算出し、写像点座標として設定する写像処理を行い、該写像結果に基づいて、プロファイル作成装置において、所望の補正結果を出力するプロファイルを作成することが可能となる。
【００２９】
また、例えばユーザは別の方法として、写像点のＬａｂ色空間（またはＬＣＨ色空間）における色座標値（つまり、補正後の色座標値）を色補正値として直接入力することで補正を行っていた。画像処理装置では、色座標値が直接入力されることで写像点座標が設定され、該写像内容に基づいて、プロファイル作成装置において、所望の色補正結果を出力するプロファイルを作成することが可能となる。
【００３０】
【特許文献１】
特開平８−２５６２７５号公報
【発明が解決しようとする課題】
しかしながら、上記のＬａｂ色空間やＬＣＨ色空間は、人間の視覚特性と必ずしも一致しておらず、また、ΔＥの大きさや色相角の変化による色味の変化度合いについても、人間の感覚量とは対応付けがなされていない。
【００３１】
実際、上記のＬａｂ色空間やＬＣＨ色空間においては、明度が異なれば同じ色に見える色が同じ色相角上にはなく、また、彩度が異なれば同じ色に見える色が同じ色相角上にはない。
【００３２】
図１２を用いて詳細に説明する。図１２は、均等表色系であるＬａｂ色空間において、ある明度における、彩度の小さい色から大きい色について、人間の視覚において同じ色相に見えるａ＊ｂ＊座標点の連続変化を線分で示した一例である。以後、かかる線分を等色相線と呼ぶ。
【００３３】
図１２において、黒丸で示す点１２０４は赤色を示し、白丸で示す点１２０５および１２０６は赤色１２０４とは色相角が異なる色であることを示す。また、１２０１乃至１２０３は等色相線であり、彩度の小さい色から大きい色について、人間の視覚において赤色１２０４乃至１２０６とそれぞれ同じ色相に見えることを表している。
【００３４】
さらに、Ｌａｂ色空間上における赤色１２０４、１２０５、１２０６に対する等色相角線をそれぞれ点線１２０８、１２０９、１２１０で示す。また、赤色１２０５における等色相角線１２０８と赤色１２０４における等色相角線１２０９にはさまれる領域を、等色相角において定義される許容域Ａ’’とし、　赤色１２０６における等色相角線１２１０と赤色１２０４における等色相角線１２０９にはさまれる領域を、等色相角線によって定義される許容域Ｂ’’とする。
【００３５】
ここで、赤色１２０５、１２０６は、色相方向において赤色１２０４と同じような色味に見える色の許容限界色である。よって、等色相線１２０２、１２０３を赤色１２０４における等色相線１２０１に対する許容限界色相線と定義することが出来る。以後、許容限界色相線を許容域等色相線と呼ぶ。
【００３６】
従って、等色相線１２０１上の赤色１２０４を、人間が最も赤い色味であると認める色であるとすると、赤の目標とすべき目標色相線は等色相線１２０１であり、赤の目標に対して、等色相線１２０２、１２０３はその許容域等色相線であることから、色相に関して、等色相線１２０２、１２０３に挟まれる領域に存在する色、例えば黒四角１２０７における座標で示される色は、人間が、赤色であると認めることが出来る色であるといえる。
【００３７】
さて、等色相線１２０１と許容域等色相線１２０２に挟まれる領域を許容域Ａ、等色相線１２０１と許容域等色相線１２０３に挟まれる領域を許容域Ｂとした場合、ある目標色と同じ明度で同じ彩度を持つ色座標点１２０７は、許容域Ａもしくは許容域Ｂ内にあれば、目標色１２０４と同じ色味をもつ色であるといえる。
【００３８】
ここで、等色相線１２０１に対して許容域等色相線１２０２に挟まれる許容域Ａおよび、等色相線１２０１に対して許容域等色相線１２０３に挟まれる許容域Ｂについて、赤色１２０５よりも彩度の大きい赤色の場合の許容域Ａ’および許容域Ｂ’と比較してみると、許容域Ａ、許容域Ｂに比べて許容域Ａ’、許容域Ｂ’とも均等表色系であるＬａｂ色空間において、より大きい色相角範囲について許容域となることが分かる。
【００３９】
すなわち、人間の視覚特性によれば、彩度が大きい色はＬａｂ色空間における色相角の変化に対して許容域が大きくなるということが分かる。ちなみに、従来のＬａｂ色空間における等色相角線によって定義される許容域Ａ’’，Ｂ’’についても彩度が大きくなるにつれてその許容域は大きくはなる。
【００４０】
しかしながら、許容域等色相線１２０２のＬａｂ色空間におけるａ＊ｂ＊座標の変遷を見ると、彩度が大きくなるにつれて、許容域等色相線１２０２は黄色方向に大きく曲がるため、Ｌａｂ色空間における等色相角線１２０８に対してさらに大きい領域が許容されることが分かる。
【００４１】
以上のことから明らかなように、Ｌａｂ色空間における色相角によって一意に定義された許容域は、評価する色の彩度が異なると、人間の視覚特性に基づく許容域とは、大きく異なってしまう（明度についても同様のことが言えるが、ここでは詳細な説明は省く）。
【００４２】
つまり、色補正値として色相角を入力する従来の色補正処理では、彩度に応じた最適な色補正が困難であった。
【００４３】
また、色補正値としてＬａｂ色空間における色座標値を直接入力する従来の色補正処理では、上述のように、Ｌａｂ色空間が、人間の視覚特性と必ずしも一致していないため、色座標値の変更に伴う色味の変化について、ユーザが感覚的／数値的に把握することが難しく、ユーザの意図通りの色補正が行えないという問題があった。このことは、すなわち、ユーザが従来の色補正処理による色補正について習熟しているか否か（すなわち、色補正値と、実際の色味の感覚量とを過去の経験からどの程度獲得しているのか）、その習熟の程度によって、所望の色補正結果を獲得するための作業時間について、大きく長短が生じてしまうこととなる。
【００４４】
さらに、補正内容を評価するにあたり、目標色座標値に対するＬａｂ色空間におけるΔＥを用いた従来の評価方法では、ΔＥの大小と実際の色の見え具合において違いがあるため、色再現性評価の精度に問題があった。
【００４５】
同様に、補正内容を評価するにあたり、等色相角線を用いた許容範囲を定義して、該許容範囲内か否かにより色再現性評価を行っても、実際の色の見え具合において違いがあるため、正しい色再現性評価がなされないという問題があった。
【００４６】
本発明は上述した問題を解決するためになされたものであり、入力カラー画像信号から出力カラー画像信号へ色変換する場合の色補正において、人間の視覚特性とのずれをなくし、かつ補正内容を定量的に把握することが可能な画像処理装置およびその方法ならびにその記録媒体を提供することを目的とする。
【００４７】
【課題を解決するための手段】
上記の目的を達成するために本発明に係る画像処理装置は以下のような構成を備える。即ち、
第１のデバイスを介して入力される画像信号を、第２のデバイスを介して出力される画像信号へ色変換可能な画像処理装置であって、
前記入力される所定の画像信号の、前記第１のデバイスにおける均等表色系の色空間座標を算出する色座標算出手段と、
前記算出された色空間座標における色相角を補正する補正手段と、
前記補正された色相角に基づいて、色変換のためのプロファイルを生成するプロファイル生成手段と、を備え、
前記補正手段は、人間の視覚において同じ色相に見える色相角の範囲内において補正可能であることを特徴とする。
【００４８】
【発明の実施の形態】
はじめに、本発明の概要について説明する。本発明にかかる画像処理装置によれば、色補正値入力のためのＵ／Ｉにおいて、人間の視覚特性に適した目標色座標を表示することができ、また、ユーザが入力する色補正値に対して、人間の視覚特性を考慮した許容域を用いて制限をかけることができる。
【００４９】
これを実現するためには、人間の視覚特性に適した目標色座標および許容域色座標を算出しておく必要があるが、本発明にかかる画像処理装置では、人間の視覚特性に適合した色空間であるＨＶＣ色空間を用いて、それらを算出する。
【００５０】
つまり、色属性情報ごとに、ＨＶＣ色空間上において、あらかじめ目標色相および許容域色相を登録しておき、当該色属性情報を有する評価対象色が入力された場合に、当該登録より、目標色相および許容域色相を導き出し、さらに、導き出した目標色相および許容域色相をＬａｂ色空間に変換することで、目標色座標および許容域色座標を算出する。
【００５１】
図３０を用いて、具体的に説明する。３００４Ｌは評価対象色のＬａｂ色空間３０００Ｌ上の色座標であり、当該評価対象色を色補正する際にＵ／Ｉに表示される目標色座標および許容域色座標を求めることとする。
【００５２】
まず、評価対象色の色座標より、色属性が判断される。判断された色属性が、例えばＲｅｄであった場合、色属性情報＝Ｒｅｄとして予め登録されているＨＶＣ色空間３０００Ｈにおける目標色相３００１Ｈおよび許容域色相３００２が呼び出される。上述のように、ＨＶＣ色空間上の目標色相および許容域色相は、人間の視覚特性に適合したものであるから、目標色相３００１Ｈは、人間が最も赤い色味であると認める色であり、許容域色相３００２Ｈおよび３００３Ｈに挟まれた領域は、人間が赤色であると認めることができる領域である。
【００５３】
つまり、目標色座標および許容域色座標は、目標色相３００１Ｈおよび許容域色相３００２Ｈ上の点（３００５Ｈ、３００６Ｈ、３００７Ｈ）に基づいて算出することができる。
【００５４】
ここで、目標色相３００１Ｈおよび許容域色相３００２Ｈ上の点（３００５Ｈ、３００６Ｈ、３００７Ｈ）は、評価対象色３００４Ｌの明度および彩度に基づいて定めることができる。すなわち、評価対象色３００４Ｌの色座標より、当該評価対象色のＨＶＣ色空間上での明度、彩度を算出することができ（図中の▲１▼参照）、それと同じ明度、彩度を有する目標色相３００１Ｈおよび許容域色相３００２Ｈ、３００３Ｈ上の点として、それぞれ点３００５Ｈ、３００６Ｈ、３００７Ｈが求められる（図中の▲２▼、▲３▼、▲４▼参照）。そして、これらの点（３００５Ｈ、３００６Ｈ、３００７Ｈ）をＬａｂ色空間に変換することで、目標色座標（３００５Ｌ）および許容域色座標（３００６Ｌ、３００７Ｌ）が算出される。
【００５５】
この結果、Ｕ／Ｉ上では、目標色座標３００５Ｌが表示され、ユーザは、許容域色座標３００６Ｈ、３００７Ｈ間を色補正可能範囲として、色補正値を入力することができる。
【００５６】
なお、以上の説明から明らかなように、Ｌａｂ色空間における等色相線３００１Ｌ、３００２Ｌ、３００３Ｌは、ＨＶＣ色空間における目標色相３００１Ｈ及び許容域色相３００２Ｈ、３００３ＨをＬａｂ色空間に変換することで得られる（図中の▲５▼、▲６▼、▲７▼参照）。
【００５７】
本発明に関する以上の概略をふまえ、以下に第１及び第２の実施形態を示す。
【００５８】
【第１の実施形態】
１．全体構成
（１）全体システム構成
本発明の第１の実施形態にかかる画像処理装置の概要、構成について、図１に示されるブロック図を参照しながら説明する。
【００５９】
１０１はＣＰＵであり、ＲＯＭ１０２に記憶されている情報データや制御プログラム、ＯＳ（オペレーティングシステム）、アプリケーションプログラム（以下、アプリケーションという）、デバイスドライバ等に従って、ＲＡＭ１０３、操作部１０４、画像処理部１０５、モニタ１０６、入力デバイスＩ／Ｆ１０７、出力デバイスＩ／Ｆ１０８の各種制御を行う。
【００６０】
１０７はＣＣＤセンサを含むイメージスキャナ等の画像読取装置や測色器等の入力デバイスに接続可能な入力デバイスＩ／Ｆであり、該入力デバイスＩ／Ｆを介して評価対象の色空間情報を画像処理装置に入力する。１０８はインクジェットプリンタ、熱転写プリンタ、ドットプリンタ等の出力デバイスに接続可能な出力デバイスＩ／Ｆであり、色補正された画像が出力デバイスＩ／Ｆを介して出力される。
【００６１】
ＲＡＭ１０３は各種制御プログラムや操作部１０４から入力されるデータを保持するための作業領域及び一時待避領域である。１０４は操作部であり、出力デバイスの設定データの入力等を行う。１０５は画像処理部であり、色再現性評価処理、色補正処理等の各種画像処理を行う。
【００６２】
１０６はモニタであり、画像処理部１０５の画像処理結果や操作部１０４より入力された色補正値等を表示する。
【００６３】
（２）画像処理部の構成１（色再現性評価部）
次に、図４を用いて画像処理部１０５について説明する。画像処理部１０５は、色再現性評価部を有し、当該色再現性評価部は以下の構成を備える。
【００６４】
４０１は、評価対象色データ記憶装置であり、端子４０６を通じて入力された、評価対象となる色を測色した均等表色系のＬａｂ色空間座標値を格納する。評価対象色データ記憶装置４０１へは、入力デバイスＩ／Ｆ１０７を介して測色器から均等表色系のＬａｂ色空間座標値が入力されても良いし、操作部１０４を介してＬａｂ色空間座標値が直接入力されても良い。また、評価対象色データ記憶装置４０１には、評価対象色の色の属性を示す色属性情報（例えば、Ｒｅｄ、Ｇｒｅｅｎ、・・等）が、評価対象色のＬａｂ色空間座標値に関連付けられて格納される。
【００６５】
４０２は、評価対象色について色再現性評価を行う色再現性評価装置である。色再現性評価装置４０２において、評価対象色における目標色および許容域のＬａｂ色空間座標値が算出され、目標・許容域座標データメモリ４０４に格納される。再現性評価装置４０２において評価された結果及び評価値は、評価結果格納装置４０３において、評価対象色のＬａｂ色空間座標値に対応付けられて格納される。目標・許容域座標データメモリ４０４に格納された目標色および許容域のＬａｂ色空間座標値、および評価結果格納装置４０３に格納された評価値は、表示装置画面生成装置４０５において生成された表示画面に組み込まれ、端子４０７を介して送信され、モニタ１０６上に表示される。
【００６６】
（３）画像処理部の構成２（色補正部）
さらに、画像処理部１０５は、色再現性評価結果を用いて色補正を行う色補正部を有し、当該色補正部は以下の構成を備える。
【００６７】
モニタ１０６において、評価対象色における目標色および許容域の色座標値および評価値が表示され、その結果に基づいて、ユーザは許容域内において色補正対象色に対する色補正値を決定し、操作部１０４を通じて入力することができる。
【００６８】
ユーザから入力された色補正値は、端子４２３を介して色補正値記憶装置４２４に格納される。また、色補正処理を行う為のプロファイル作成指示があると、図２と同様の構成を持つプロファイル作成部４１１（図２の２０１乃至２１４は図４の４１１乃至４２４に対応）が動作し、色補正値記憶装置４２４に格納された色補正値に基づいてプロファイルを作成し、該プロファイルを出力する（これらの処理は、図２と同様であるため、説明は省略する）。
２．色再現性評価部の説明
（１）色再現性評価部の詳細構成
次に本実施形態における色再現性評価方法、並びに、色再現性評価部内の色再現性評価装置４０２の機能について詳細に説明する。
【００６９】
図５は、色再現性評価装置４０２における構成を示すブロック図である。
【００７０】
５０１は、評価対象色データ記憶装置４０１より読み出した、評価対象となる色の色属性情報およびＬａｂ色空間座標値を格納する評価対象色データ格納部である（図１５に、評価対象色データ格納部の一例を示す）。
【００７１】
図１５に示すように、評価対象色データ格納部５０１は、複数の評価対象色を格納するためのインデックス、および、該インデックスに対し、評価対象色の色属性情報を格納する領域、ならびにＬａｂ色空間座標値を格納する領域によって構成されている。
【００７２】
例えば、評価対象色データ格納領域１５０１は、評価対象色１としてのインデックス１、色属性情報として評価対象色を赤色として評価するためのＲｅｄ識別子、および評価対象色のＬａｂ色空間座標値が格納されている。
【００７３】
また、評価対象色データ格納領域１５０２には、評価対象色２としてのインデックス２、色属性情報として評価対象色を緑として評価するためのＧｒｅｅｎ識別子、および評価対象色のＬａｂ色空間座標値が、さらに評価対象色データ格納領域１５０３には、評価対象色３としてのインデックス３、色属性情報として評価対象色をシアンとして評価するためのＣｙａｎ識別子、および評価対象色のＬａｂ色空間座標値がそれぞれ格納されている。
【００７４】
図５に戻る。ＨＶＣ色空間参照データメモリ５０２にはＨＶＣ−Ｌａｂ変換情報が格納されており、適宜他の処理部におけるＨＶＣ−Ｌａｂ座標値の変換に用いられる。
【００７５】
目標色相データメモリ５０３には、ＨＶＣ色空間の色相情報のデータ形式で、評価対象色の色属性情報に対する目標色相が格納されている。
【００７６】
許容色相データメモリ５０４には、ＨＶＣ色空間の色相情報のデータ形式で、評価対象色の色属性情報に対する、両許容域色相（許容域色相Ａおよび許容域色相Ｂ（詳細は後述））が格納されている。
【００７７】
図１４に、目標色相データメモリ５０３および許容色相データメモリ５０４の一例を示す。同図においては、説明の簡略化のため、目標色相データメモリ５０３および許容色相データメモリ５０４が合成された構成になっているが、もちろん、それぞれ分かれている構成であっても良い。
【００７８】
図１４におけるメモリ領域１４０１は、色属性情報Ｒｅｄにおける、ＨＶＣ色空間の色相情報のデータ形式による目標色相、および許容域色相Ａ、ならびに他方の許容域色相Ｂがそれぞれ格納されている。同様に、メモリ領域１４０２、１４０３、１４０４、１４０５、１４０６には、それぞれ、色属性情報Ｇｒｅｅｎ、Ｂｌｕｅ、Ｃｙａｎ、Ｍａｇｅｎｔａ、ＹｅｌｌｏｗについてのＨＶＣ色空間の色相情報のデータ形式による目標色相、および許容域色相Ａならびに他方の許容域色相Ｂがそれぞれ格納されている。
【００７９】
なお、本実施形態における色再現性評価装置４０２は、ユーザが設定する任意の色属性情報に関する色再現性評価を行うことが出来るような構成となっている。つまり、色属性情報と、該色属性情報におけるＨＶＣ色空間の色相情報のデータ形式による目標色相と、許容域色相Ａならびに他方の許容域色相Ｂとを、あらかじめユーザが任意に登録することが可能であり、登録された内容はメモリ領域１４０７、１４０８にそれぞれ格納される。
【００８０】
再び図５に戻る。評価対象色データ変換部５０５では、評価対象色データ格納部５０１より評価対象色のＬａｂ色空間座標値を読み出し、目標色座標と許容域を求めるための値（明度情報、彩度情報）と、色再現性評価において用いる値（色相角）とを算出し、その結果を、Ｌａｂ色空間座標値とともに評価対象色・目標・許容座標データメモリ５０７に格納する。
【００８１】
目標・許容座標設定部５０６においては、評価対象色・目標・許容座標データメモリ５０７に格納された明度情報および彩度情報と、目標色相データメモリ５０３もしくは許容色相データメモリ５０４より獲得された色相（目標色相、両許容域色相）とによって、Ｌａｂ色空間座標値としての目標色座標値もしくは許容域両座標値が設定される。
【００８２】
設定された目標色座標値もしくは許容域両座標値は、評価対象色・目標・許容座標データメモリ５０７に格納される。ここで、評価対象色・目標・許容座標データメモリ５０７に格納された目標色座標値および許容域両座標値は、図４における目標・許容域座標データメモリ４０４に格納される。
【００８３】
図１６に、評価対象色・目標・許容座標データメモリ５０７の一例を示す。評価対象色・目標・許容座標データメモリ領域１６０１には、評価対象色に対するＬａｂ色空間座標値ならびにＨＶＣ色空間の明度情報および彩度情報と、Ｌａｂ色空間座標値より算出される色相角値とがそれぞれ格納されている。
【００８４】
評価対象色・目標・許容座標データメモリ領域１６０２には、評価対象色ごとの目標色におけるＬａｂ色空間座標値と、Ｌａｂ色空間座標値より算出される色相角値とがそれぞれ格納されている。
【００８５】
評価対象色・目標・許容座標データメモリ領域１６０３には、評価対象色に対する一方の許容域（許容域Ａ）におけるＬａｂ色空間座標値と、許容域ＡにおけるＬａｂ色空間座標値より算出される色相角値とがそれぞれ格納されている。
【００８６】
評価対象色・目標・許容座標データメモリ領域１６０４には、評価対象色に対する他方の許容域（許容域Ｂ）におけるＬａｂ色空間座標値と、許容域ＢにおけるＬａｂ色空間座標値より算出される色相角値とがそれぞれ格納されている。
【００８７】
再び図５に戻る。評価処理部５０８で、評価対象色・目標・許容座標データメモリ５０７に格納された目標色座標値及び許容域両座標値に基づいて、評価対象色ごとに色再現性評価を行い、その評価結果を評価値格納メモリ５０９に格納する。ここで、評価値格納メモリ５０９に格納された評価値は、図４における評価結果格納装置４０３に格納される。
【００８８】
図１７に評価値格納メモリ５０９の一例を示す。同図において、評価値格納メモリ領域１７０１はインデックス１の評価対象色における色再現性評価結果を格納するメモリ領域である。同様に、評価値格納メモリ領域１７０２にはインデックス２の評価対象色における色再現性評価結果が、評価値格納メモリ領域１７０３にはインデックス３の評価対象色における色再現性評価結果がそれぞれ格納されており、評価対象色における色再現性評価結果はインデックスに対応付けられている。
【００８９】
色再現性評価結果には、評価対象色の色属性情報、許容域内外判定結果、評価値、及び評価対象色のＬａｂ色空間座標値と目標色座標値との距離ΔＥがそれぞれ格納されている。許容域内外判定処理、評価値算出処理については後述する。
【００９０】
（２）色再現性評価部における処理の流れ（概略）
本実施形態における色再現性評価装置４０２の動作を、図６に示されるフローチャートによって説明する。
【００９１】
ステップＳ６０１において、評価対象色データ記憶装置４０１より評価対象色における色属性情報およびＬａｂ色空間座標値を獲得する。
【００９２】
次にステップＳ６０２において、評価対象色の色属性情報より、ＨＶＣ色空間における色相値のデータ形式を持つ、色属性情報における目標色相を獲得する。
【００９３】
次にステップＳ６０３において、評価対象色の色属性情報より、ＨＶＣ色空間における色相値のデータ形式を持つ、色属性情報における許容域色相Ａを獲得する。
【００９４】
次にステップＳ６０４において、評価対象色の色属性情報より、ＨＶＣ色空間における色相値のデータ形式を持つ、色属性情報における許容域色相Ｂを獲得する。
【００９５】
次にステップＳ６０５において、評価対象色における明度情報と彩度情報、および目標色相より、Ｌａｂ色空間における目標色座標値を算出する。
【００９６】
次にステップＳ６０６において、評価対象色における明度情報、彩度情報、および許容域色相Ａ、許容域色相Ｂより、Ｌａｂ色空間における許容域両座標値（許容域Ａ座標、許容域Ｂ座標）を設定する。
【００９７】
次にステップＳ６０７において、目標色座標値、許容域両座標値、および評価対象色のＬａｂ色空間座標値より、それぞれの座標における色相角値（目標色相角、許容域両色相角、評価対象色相角）を算出する。
【００９８】
次にステップＳ６０８において、目標色相角、許容域両色相角、評価対象色相角より、評価対象色について許容域内外判定を行う。
【００９９】
次にステップＳ６０９において、目標色相角、許容域両色相角、評価対象色相角より、目標色相角と評価対象色が存在する側の許容域色相角の角度の差分に対する、目標色相角と評価対象色相角の角度の差分の比率を算出し、評価値とする。
【０１００】
次にステップＳ６１０では、許容域内外判定をした結果と、ステップＳ６０９において算出した評価値とを、評価対象色に対応付けて評価結果格納装置４０３に格納する。
【０１０１】
次にステップＳ６１１において、格納された許容内外判定結果および評価値を、評価対象色に対応付けてモニタ１０６に表示する。
【０１０２】
上記のフローチャートにおける処理によって、色再現性評価処理を実現する。
【０１０３】
次に、図７から図１１に示されるフローチャートに沿って、本実施形態の色再現性評価部における処理の流れについての詳細を以下に説明する。
【０１０４】
（３）色再現性評価部における処理の流れ（詳細）
図７は、図５の評価対象色データ変換部５０５における処理であって、評価対象色データ格納部５０１に格納されている評価対象色の色属性情報より、色再現性評価において使用されるデータを設定する処理を示すフローチャートである。
【０１０５】
ステップＳ７０１において、評価対象色データ格納部５０１より、評価対象色のＬａｂ色空間座標値（Ｌｐ，ａｐ，ｂｐ）を獲得する。
【０１０６】
ステップＳ７０２では、評価対象色のＬａｂ色空間座標値（Ｌｐ，ａｐ，ｂｐ）より、ＨＶＣ色空間参照データメモリ５０２に格納されているＨＶＣ−Ｌａｂ変換情報に基づいて、明度情報Ｖｐをもとめ、評価対象色・目標・許容座標データメモリ５０７の評価対象色データメモリ領域１６０１に格納する。
【０１０７】
ステップＳ７０３では、評価対象色のＬａｂ色空間座標値（Ｌｐ，ａｐ，ｂｐ）より、ＨＶＣ色空間参照データメモリ５０２に格納されているＨＶＣ−Ｌａｂ変換情報に基づいて、彩度情報Ｃｐをもとめ、評価対象色・目標・許容座標データメモリ５０７の評価対象色データメモリ領域１６０１に格納する。
【０１０８】
ステップＳ７０４において、評価対象色のＬａｂ色空間座標値（Ｌｐ，ａｐ，ｂｐ）より、Ｌａｂ色空間における色相角値ｈｐを求める。Ｌａｂ色空間における色相角値ｈは、Ｌａｂ色空間座標値（Ｌ，ａ，ｂ）より以下の式（１）によって求められる。
ｈ＝ｔａｎ−１（ａ／ｂ）　・・・式（１）
ステップＳ７０５において、評価対象色・目標・許容座標データメモリ５０７の評価対象色データメモリ領域１６０１に色相角値ｈｐを格納する。
【０１０９】
以上のフローチャートによる処理によって、人間の視覚特性に応じた色再現性評価を行うための評価対象色における情報が求められる。
【０１１０】
（４）目標・許容座標設定部の説明
▲１▼目標色座標設定処理
図８は、図５の目標・許容座標設定部５０６における、色再現性評価における目標色座標を設定する処理を示すフローチャートである。
【０１１１】
ステップＳ８０１において、評価対象色・目標・許容座標データメモリ５０７の評価対象色データメモリ領域１６０１に格納されている評価対象色の明度情報Ｖｐを獲得する。
【０１１２】
ステップＳ８０２において、評価対象色・目標・許容座標データメモリ５０７の評価対象色データメモリ領域１６０１に格納されている評価対象色の彩度情報Ｃｐを獲得する。
【０１１３】
ステップＳ８０３では、評価対象色の色属性情報に基づいて、目標色相データメモリ５０５を参照して、ＨＶＣ色空間の色相情報のデータ形式で、評価対象色の色属性情報に対する目標色相を獲得する。
【０１１４】
ステップＳ８０４では、明度情報Ｖｐ、彩度情報Ｃｐ、目標色相より、ＨＶＣ色空間参照データメモリ５０２に格納されているＨＶＣ−Ｌａｂ変換情報に基づいて、目標色のＬａｂ色空間座標（Ｌｔ，ａｔ，ｂｔ）を求め、評価対象色の目標色座標値として設定する。
【０１１５】
ステップＳ８０５において、評価対象色の目標色座標値（Ｌｔ，ａｔ，ｂｔ）より、評価対象色における色相角ｈｔを式（１）によって求める。
【０１１６】
ステップＳ８０６において、評価対象色の目標色座標値（Ｌｔ，ａｔ，ｂｔ）および色相角ｈｔを、評価対象色・目標・許容座標データメモリ５０７の評価対象色データメモリ領域１６０２に格納する。
【０１１７】
以上のフローチャートによる処理によって、人間の視覚特性に応じた評価対象色の目標色座標に関する情報が求められる。
【０１１８】
▲２▼許容域色座標設定処理
図９は、図５の目標・許容座標設定部５０６における、色再現性評価における許容域色座標を設定する処理を示すフローチャートである。
【０１１９】
ステップＳ９０１において、評価対象色・目標・許容座標データメモリ５０７の評価対象色データメモリ領域１６０１に格納されている評価対象色の明度情報Ｖｐを獲得する。
【０１２０】
ステップＳ９０２において、評価対象色・目標・許容座標データメモリ５０７の評価対象色データメモリ領域１６０１に格納されている評価対象色の彩度情報Ｃｐを獲得する。
【０１２１】
ステップＳ９０３では、評価対象色の色属性情報に基づいて、許容色相データメモリ５０４を参照して、ＨＶＣ色空間の色相情報のデータ形式で、評価対象色の色属性情報に対する許容域の一方である許容域色相Ａを獲得する。
【０１２２】
ステップＳ９０４では、明度情報Ｖｐ、彩度情報Ｃｐ、許容域色相Ａより、ＨＶＣ色空間参照データメモリ５０２に格納されているＨＶＣ−Ｌａｂ変換情報に基づいて、許容域色相ＡにおけるＬａｂ色空間座標値（Ｌｔ１，ａｔ１，ｂｔ１）を求め、許容域Ａ座標として設定する。
【０１２３】
ステップＳ９０５において、許容域Ａ座標値（Ｌｔ１，ａｔ１，ｂｔ１）より、許容域Ａ座標値における色相角ｈｔを式（１）によって求める。
【０１２４】
ステップＳ９０６では、評価対象色の色属性情報に基づいて、許容色相データメモリ５０４を参照して、ＨＶＣ色空間の色相情報のデータ形式で、評価対象色の色属性情報に対する許容域のもう一方である許容域色相Ｂを獲得する。
【０１２５】
ステップＳ９０７では、明度情報Ｖｐ、彩度情報Ｃｐ、許容域色相Ｂより、ＨＶＣ色空間参照データメモリ５０２に格納されているＨＶＣ−Ｌａｂ変換情報に基づいて、許容域色相ＢにおけるＬａｂ色空間座標値（Ｌｔ２，ａｔ２，ｂｔ２）を求め、許容域Ｂ座標として設定する。
【０１２６】
ステップＳ９０８において、許容域Ｂ座標値（Ｌｔ２，ａｔ２，ｂｔ２）より、許容域Ｂ座標値における色相角ｈｔを式（１）によって求める。
【０１２７】
ステップＳ９０９において、許容域色相ＡにおけるＬａｂ色空間座標（Ｌｔ１，ａｔ１，ｂｔ１）および色相角ｈｔ、許容域色相ＢにおけるＬａｂ色空間座標（Ｌｔ２，ａｔ２，ｂｔ２）および色相角ｈｔを、評価対象色・目標・許容座標データメモリ５０７の評価対象色データメモリ領域１６０３、１６０４にそれぞれ格納する。
【０１２８】
以上のフローチャートによる処理によって、人間の視覚特性に応じた許容域情報が求められた。
【０１２９】
（５）評価処理部の説明
▲１▼許容域内外判定処理・評価処理
図１０は、図５の評価処理部５０８における処理を示すフローチャートであって、色再現性評価における評価対象色について許容域内外判定をおこなう処理を示すフローチャートである。
【０１３０】
ステップＳ１００１において、評価対象色・目標・許容座標データメモリ５０７より、評価対象色における色相角ｈｐを獲得する。
【０１３１】
ステップＳ１００２において、評価対象色・目標・許容座標データメモリ５０７より、目標色における色相角ｈｔを獲得する。
【０１３２】
ステップＳ１００５において、評価対象色・目標・許容座標データメモリ５０７より、一方の許容域Ａ座標における色相角ｈｔ１を獲得する。
【０１３３】
ステップＳ１００４において、評価対象色・目標・許容座標データメモリ５０７より、他方の許容域Ｂ座標における色相角ｈｔ２を獲得する。
【０１３４】
ステップＳ１００５では、色相角ｈｐについて、目標色座標における色相角ｈｔおよび許容域Ａ座標における色相角ｈｔ１と比較するか、もしくは、目標色座標における色相角ｈｔおよび許容域Ｂ座標における色相角ｈｔ２と比較し、評価対象色における色相角ｈｐが挟まれる許容域色相角を判別することによって、評価対象色が許容域Ａ座標もしくは許容域Ｂ座標のどちらに存在するかを判別する。
【０１３５】
ステップＳ１００５において、評価対象色が許容域Ａ座標内に存在した場合は、ステップＳ１００６において、目標色座標および許容域Ａ座標を用いて、評価対象色の評価を行う。
【０１３６】
ステップＳ１００５において、評価対象色が許容域Ｂ座標内に存在した場合は、ステップＳ１００７において、目標色および許容域Ｂ座標を用いて、評価対象色の評価を行う。
【０１３７】
ここで、ステップＳ１００６とステップＳ１００７における処理の詳細な説明は、図１１におけるフローチャートにて後述する。
【０１３８】
ステップＳ１００８では、ステップＳ１００６もしくはステップＳ１００７における、選択された許容域を用いた許容域内外判定結果と算出された評価対象色の目標色座標に対する評価値とを、評価値格納メモリ５０９に格納する。
【０１３９】
ステップＳ１００９において、評価値格納メモリ５０９に格納された各評価対象色における許容域内外判定結果と、目標色に対する評価対象色の評価値を、モニタ１０６に表示する。
【０１４０】
以上のフローチャートによる処理によって、人間の視覚特性に応じた許容域情報に基づく許容内外判定結果が求められた。
【０１４１】
▲２▼評価値算出処理
図１０のステップＳ１００６及びステップＳ１００７の処理の詳細を図１１に示す。本図は、図５の評価処理部５０８での、評価対象色についての許容内外域判定および目標色に対する評価値を求める処理を示すフローチャートである。
【０１４２】
また、図１０のステップＳ１００５おいて選択された許容域と、評価対象色および目標色の関係を図１３に示す。図１３において、黒丸１３０１は目標色座標を示し、色相角ｈｔをもつ。白丸１３０３は選択された許容域座標を示し、色相角ｈｔ１をもつ。四角１３０２は評価対象色を示し、色相角ｈｐをもつ。また、１３０４は目標色と許容域座標の色相角の差分、１３０５は目標色と評価対象色の色相角の差分をそれぞれ示す。
【０１４３】
以下、図１３を参照しながら図１１に示すフローチャートについて説明する。ステップＳ１１０１において、評価対象色相角ｈｐを獲得し、Ｐｈに代入する。次にステップＳ１１０２において、目標色相角ｈｔを獲得し、ＴＧｈに代入する。
【０１４４】
次にステップＳ１１０３において、選択された許容域座標の色相角ｈｔ１を獲得し、Ｔｈに代入する（ここでは、図１０のステップＳ１００５において、許容域Ａが選択されたものとする）。
【０１４５】
ステップＳ１１０４において、評価対象色について目標色に対する評価値Ｖを、以下の式（２）によって定義し、算出する。
評価値　Ｖ＝　｜（Ｐｈ−ＴＧｈ）｜／｜（Ｔｈ−ＴＧｈ）｜　・・・式（２）
評価値Ｖは、図１３における、目標色と評価対象色の色相角の差分１３０５における目標色と許容域座標の色相角の差分１３０４に対する比率を表す。
【０１４６】
この比率は、目標色に対して同じ色味であると認められる度合いである。すなわち評価対象色がどの程度、目標色の色らしく見えるかについてを示すことになる。
【０１４７】
評価値が０に近づくほど目標の色らしく、１に近づくほどその色として認められる程度が小さくなる。更に、１を越えるほど、目標の色としては認められないと評価することになる。
【０１４８】
ステップＳ１１０５においては、ステップＳ１１０４において求めた評価値Ｖについて、１を越えているか否かを判別し、評価値Ｖが１以下あれば、ステップＳ１１０６において許容域内であると判定し、評価値Ｖが１より大きければ、ステップＳ１１０７において、許容域外であると判定する。
【０１４９】
以上のフローチャートによる処理によって、人間の視覚特性に応じた許容域情報に基づく評価値が求められた。
【０１５０】
以上、図７から図１１のフローチャートによって示される色再現性評価処理によって、人間の視覚特性を鑑みた色味についての評価を行うことが可能となり、明度、彩度の異なる色についての色味の評価について見た目の違いを反映した評価を行い、評価値を獲得することを実現した。
３．色補正値入力のためのＵ／Ｉ
（１）色補正処理
次に、以上の処理によって獲得された、評価対象色における評価値、目標色、許容域を用いて行う色補正処理のＵ／Ｉについて説明する。
【０１５１】
図１８は、色補正処理するための色補正値を指定することが可能な表示画面の一例であり、ユーザは表示画面上に表示された評価値等を見ながら操作部１０４を介して色補正値を入力することができる。本図においては、色補正の評価対象色について、ＲＧＢ、ＣＭＹ、その他のツールに分かれており、ユーザは操作部よりモニタ上のＵ／Ｉについて、所望のページを選択することによって、色補正を行いたいＵ／Ｉを表示させる（なお、評価対象色のうち、ユーザによって色補正される対象色を色補正対象色と称す。以下同じ）。
【０１５２】
１８０１は、ＲＧＢの色補正値を入力するためのＵ／Ｉである。図４の評価結果格納装置４０３に格納された色補正対象色における評価値が、色属性情報に基づいて、Ｒの評価値１８１４、Ｇの評価値１８２７、Ｂの評価値１８４０に表示される。また、色補正対象色におけるＬａｂ色空間上の色相角値が、Ｒの色相角１８１３、Ｇの色相角１８２６、Ｂの色相角１８３９に表示される。
【０１５３】
Ｕ／Ｉ１８０１上のバーは、色補正に必要な情報を示すと同時に、ユーザが動かすことの出来るポインタを用いて色補正値を位置情報として視覚的に補正が出来るような構成を持つ。
【０１５４】
Ｒの色補正バーによる色補正値の決定について以下に詳細に説明する。
【０１５５】
色補正バーの両端について、左端は出力色空間における最も彩度の高いデバイスＹｅｌｌｏｗを示し、右端は出力色空間における最も彩度の高いデバイスＭａｇｅｎｔａを示している。左端から右端へは、デバイスＹｅｌｌｏｗ　およびデバイスＭａｇｅｎｔａ　のＬａｂ色空間における色相角の分布を横に並べた位置関係になっている。色補正対象色Ｒの現在の色相角値が、ポインタ１８０３によって示されている。また、目標・許容座標データメモリ４０４に格納された色補正対象色における目標色のＬａｂ色空間における色相角値が、色補正における推奨目標値としてポインタ１８０２によって示される。
【０１５６】
目標・許容座標データメモリ４０４に格納された色補正対象色における許容域については、目標色相角に対してデバイスＹｅｌｌｏｗ側にある許容域をＡ、デバイスＭａｇｅｎｔａ側にある許容域をＢとして、色補正バー上に色補正可能領域１８０５として表示される。デバイスＹｅｌｌｏｗからデバイスＭａｇｅｎｔａの間の色相角値において、色補正可能領域１８０５ではない領域、１８０６、１８０７については、色補正不可能領域としてＵ／Ｉ上では色補正可能領域１８０５とは異なる色で示され、以下に述べる色補正バーと色補正ポインタを用いた補正値決定処理においては、色補正不可能領域１８０６、１８０７には、色補正ポインタ１８０４が移動できないようになっている。
【０１５７】
（２）色補正決定処理
さて、上記色補正バーの各ポインタおよび色補正可能領域１８０５、色補正不可能領域１８０６、１８０７を用いた色補正値の決定について説明する。
【０１５８】
Ｒの色補正ポインタ１８０４は、ユーザが操作部１０４を通じて色補正バー上を左右に動かせるようになっている。従って、ユーザは、現在の色補正対象色のバー上における位置、及び、推奨目標値の位置、および色補正可能領域１８０５を参照し、色補正可能領域１８０５内において任意の位置に色補正ポインタ１８０４を移動することによって、色補正値を決定することが出来る。
【０１５９】
さらに、本実施形態では、色補正値の決定に際して、評価値もしくはＬａｂ色空間における色相角値を用いた数値ベースで行うことも可能である。
【０１６０】
評価値を用いた色補正決定処理について説明する。表示部１８０９には、デバイスＹｅｌｌｏｗ側にある許容域における評価値として、−１．０が表示される。また、表示部１８１１には、デバイスＭａｇｅｎｔａ側にある許容域における評価値として、＋１．０が表示される。評価値に対してプラス記号およびマイナス記号がつくのは、表示部１８１０において、所望の色補正のために評価値をユーザが入力するに際して、推奨目標値のどちら側に移動させたいかが判別できるようにするためである。
【０１６１】
色補正値をユーザが決定する前の初期状態では、表示部１８１０には、評価対象色における現状の評価値が表示されている。ユーザは、表示部１８１０に所望の色補正のために評価値を数値で入力することによって、色補正値を決定する。推奨目標値に合わせる場合は０を入力すれば良い。ここで、表示部１８０９、１８１０、１８１１における数値ベースでの色補正値決定においても、色補正値が表示部１８１０に入力されると表示部の上にある色補正バーにおいて、色補正ポインタ１８０４が、入力された色補正値に連動して、色補正結果をバー上において動作するような構成となっている。
【０１６２】
また、表示部の左右にある移動動作設定ボタン１８０８、１８１２をユーザが作動させることによって、表示部１８１０における数値データもしくは、色補正バー上の色補正ポインタ１８０４を移動させることが出来る。
【０１６３】
また、色補正バーにおいて示される目標色の位置を示すポインタ１８０２、色補正対象色Ｒの現在の位置を示すポインタ１８０５をユーザが指定することによって、対応する評価値がいつでも表示部１８１０に入力される。色補正バー上の色補正可能領域１８０５上の任意の位置をユーザが指定しても同様に対応する評価値がいつでも表示部１８１０に入力される。
【０１６４】
ここで、表示部における表示部切り替えボタン１８４１もしくは１８４２のどちらかを有効にすることによって、表示部に表示される数値を、評価値もしくはＬａｂ色空間における色相角値に切り替えることが出来る。
【０１６５】
なお、表示部に色補正値として色相角が選択されている場合は、ユーザが指定した色相角値に対応する評価値が算出され、図１８には未表示であるが、表示部１８１０の下に評価値が表示される構成であってもよい。
【０１６６】
以上Ｒの色補正値を決定するＵ／Ｉについて説明したが、Ｇ、Ｂの色補正値を決定するＵ／Ｉについても、その動作や表示については同様である。
【０１６７】
色補正対象色Ｇについて、１８１６は色補正対象色の現在の色相角値を示すポインタを、１８１５は色補正における推奨目標値として目標色の色相角値を示すポインタをそれぞれ示す。また、色補正対象色における許容域については、Ｃは目標色の色相角に対してデバイスＹｅｌｌｏｗ側にある許容域を、ＤはデバイスＣｙａｎ側にある許容域を示し、１８１８は色補正可能領域を、１８１９および１８２０は色補正不可能領域を示す。また、１８１７はＧの色補正ポインタである。
【０１６８】
さらに、１８２２および１８２４は数値ベースでの色補正値決定のための許容域を表示する表示部を、１８２５は所望の色補正値を入力する表示部を、１８２１、１８２５は移動動作設定ボタンを、１８４３、１８４４は表示部切り替えボタンをそれぞれ示す。
【０１６９】
色補正対象色Ｂについて、１８２９は色補正対象色の現在の色相角値を示すポインタを、１８２８は色補正における推奨目標値として目標色の色相角値を示すポインタをそれぞれ示す。また、色補正対象色における許容域については、Ｅは目標色の色相角に対してデバイスＭａｇｅｎｔａ側にある許容域を、ＦはデバイスＣｙａｎ側にある許容域を示し、１８３１は色補正可能領域を、１８３２、１８３３は色補正不可能領域を示す。また、１８３０はＢの色補正ポインタである。
【０１７０】
さらに、１８３５および１８３７は数値ベースでの色補正値決定のための許容域を表示する表示部を、１８３６は所望の色補正値を入力する表示部を、１８３４、１８３８は移動動作設定ボタンを、１８４５、１８４６は表示部切り替えボタンをそれぞれ示す。
【０１７１】
ＲＧＢ色補正Ｕ／Ｉ１８０１において、ＲＧＢの全ての色補正値の決定を終了したら、ＯＫボタン１８４７を押すことによって、Ｕ／Ｉ１８０１においてユーザが決定した色補正値が、色補正値記憶装置４２４に格納される。キャンセルボタンが押されると、Ｕ／Ｉ１８０１においてユーザが決定した色補正値は初期値である、色補正対象色の評価値データに復元され、色補正値記憶装置４２４に格納されるされるとともに、Ｕ／Ｉ１８０１が閉じられる。
【０１７２】
図１９に、Ｕ／Ｉ１８０１においてユーザが決定した色補正値を格納する色補正値記憶装置４２４の構成の一例を示す。
【０１７３】
色補正値メモリ領域１９０１はインデックス１の色補正対象色Ｒｅｄにおける色補正値を格納するメモリ領域である。色補正値メモリ領域には、色補正対象色の色属性情報、許容域のどちら側に補正されるかを示す補正領域、色補正における評価値、及び、色補正値を色相角値に変換した値もしくは色相角値を色補正値に指定した場合の色補正色相角に基づいて算出された色補正後のＬａｂ色空間座標がそれぞれ格納されている。
【０１７４】
色補正値メモリ領域１９０２〜１９０７はそれぞれ、色補正対象色Ｇｒｅｅｎ、Ｂｌｕｅ、Ｃｙａｎ、Ｍａｇｅｎｔａ、Ｙｅｌｌｏｗ、およびユーザが指定する任意の色相をもつ色補正対象色の色補正値を格納するメモリ領域である。
【０１７５】
本実施形態における色補正処理においては、色補正対象となる色について、少なくとも、プライマリカラーであるＧｒｅｅｎ、Ｂｌｕｅ、Ｃｙａｎ、Ｍａｇｅｎｔａ、Ｙｅｌｌｏｗについて行う。ＣＭＹ色における色補正値決定はＵ／Ｉ１８４９にて行う。もちろんプライマリカラー以外の中間彩度における中間色について本補正処理を行う構成であってもよい。１８５０はそのためのＵ／Ｉであり、ユーザが指定する任意の色相をもつ色補正対象色について、色補正処理を行うために、ユーザによる色補正対象色の登録、および色補正値決定を行うことが可能である。
【０１７６】
以上、詳細に説明したように、ユーザは、人間の視覚特性に基づいた推奨目標値および許容値による色補正可能領域が表示されたＵ／Ｉを介して、色補正値の入力を行うことができる。
４．色補正部の説明
（１）色補正処理
色補正値の決定が終了すると、ユーザはＵ／Ｉ１８５１におけるプロファイル作成スイッチを入れることによって、色補正値に基づく色補正プロファイルを作成する指示を出す。
【０１７７】
以降、色補正値記憶装置４２４に格納された色補正値に従い、図２と同様の構成を持つプロファイル作成部においてプロファイルが作成される。つまり、色域写像装置において、上記色補正値において決定された写像点に基づき、プリンタ色再現域情報への色補正処理が行われる。さらにプロファイル作成装置において、色補正処理結果に基づいてプロファイルが作成される。
【０１７８】
本実施形態における色補正処理について、図２０、図２１に示すフローチャートに沿って説明する。
【０１７９】
上述したように、評価対象色データ記憶装置４０１に格納された色補正対象色に対して、色再現性評価装置４０２によって評価値、目標色、及び許容域が算出され、算出結果は、それぞれ評価結果格納装置４０３及び目標・許容座標データメモリ４０４に格納された後、モニタ１０６に表示される。ユーザは図２０に示すフローチャートに沿って、色補正値を入力する。
【０１８０】
ステップＳ２００１では、色補正値記憶装置４２４に格納された色補正情報を格納するメモリ領域に、補正対象色の評価値、目標色、許容域が設定されるとともに、モニタ１０６には、当該評価値、目標色、許容域が表示される。
【０１８１】
ステップＳ２００２では、ユーザによってＵ／Ｉ上の色補正ポインタが移動されるか、もしくはＵ／Ｉ上の表示部に色補正値が入力されると、色補正対象となる色の色属性情報が獲得される。
【０１８２】
ステップＳ２００３において、ユーザがＵ／Ｉ上の色補正ポインタをマウスを用いて移動させるか、もしくは表示部に直接キーボード入力することで色補正値が入力される。
【０１８３】
ステップＳ２００４では、入力された色補正値が、色属性情報に基づき、対応する色補正値記憶装置４２４の色補正値メモリ領域に格納される。
【０１８４】
ステップＳ２００５では、ユーザが入力を終了しＯＫボタンを押すと、Ｕ／Ｉによる色補正値の入力を終了する。
【０１８５】
ステップＳ２００５においてＯＫボタンが押されず、ステップＳ２００６においてキャンセルボタンが押されると、ステップＳ２００７において、色補正値メモリ領域に格納された色補正値を削除し、色補正値入力前の初期値である色補正対象色の評価値が入力され、色補正値メモリ領域が初期化される。
【０１８６】
ＯＫボタンまたはキャンセルボタンのどちらも押されなかった場合は、Ｕ／Ｉは、ユーザが色補正ポインタによる入力を行うか、もしくは色補正値が入力されるまで待機状態となる（ステップＳ２００８）。
【０１８７】
次に、Ｕ／Ｉにおいて色補正値が入力され、ユーザによって色補正テーブル作成の指示があると、図２１におけるフローチャートにそって、色補正値記憶装置４２４に格納された色補正値に基づく色補正処理をプロファイル作成部４１１が行う。
【０１８８】
以下に、Ｕ／Ｉに入力された色補正値を用いた色補正処理を説明する。
【０１８９】
ステップＳ２１０１において、プロファイル作成部４１１において、色補正処理を行う入力色空間情報およびプリンタ色再現域情報が獲得される。
【０１９０】
ステップＳ２１０２において、色補正値記憶装置４２４に格納された色補正値メモリ領域における色補正対象色を選択する。
【０１９１】
ステップＳ２１０３において、色補正値記憶装置４２４に格納された色補正対象色における色補正値メモリ領域における色補正値情報を獲得する。
【０１９２】
ステップＳ２１０４において、獲得された色補正値情報より、色補正色のＬａｂ色空間座標値を算出するための目標色相角を獲得する。
【０１９３】
これは、色補正情報が評価値によって指定された場合は、評価値ならびに目標色、許容域を参照して、補正色相角を算出する。
【０１９４】
ステップＳ２１０５では、ステップＳ２１０４において獲得された目標色相角値より、色補正対象色におけるＬａｂ色空間座標値を算出し、色補正値記憶装置４２４のメモリ領域に格納する。
【０１９５】
ステップＳ２１０６において、全ての色補正対象色についてステップＳ２１０３からステップＳ２１０５における処理を行ったかを判別し、終了していなかったらステップＳ２１０２に戻り、処理を繰り返す。
【０１９６】
ステップＳ２１０６において、全ての色補正対象色について色補正値のＬａｂ色空間座標を算出していたら、ステップＳ２１０７において、プロファイル作成部４１１において、色補正対象色の色補正値Ｌａｂ色空間座標に基づいて、色補正処理を行う。
【０１９７】
ステップＳ２１０８では、プロファイル作成部４１１が色補正処理の結果より変換プロファイルを作成する。
【０１９８】
ステップＳ２１０９では、作成した変換プロファイルをＲＡＭ４１２に格納する。
【０１９９】
以上、図２０、図２１に示す２つのフローチャートにおける処理によって、色補正対象色に対する許容域を用いた色補正処理を実現する。
【０２００】
本実施形態によって、ある色について色補正を行うための色再現性評価を行うにあたり、評価対象色のもつ色属性情報における目標色相および許容域色相をあらかじめ定義し、それぞれ、評価対象色の持つ明度および彩度に基づいて、人間の視覚において当該目標色相および許容域色相と同じ色味をもつ色の変化として表される目標等色相線および許容域等色相線を均等表色系の色空間における値として求めておき、許容域等色相線によって挟まれる領域内外のどちらに存在するかを判別、また、どの程度目標色等色相線上の同じ彩度を持つ色に近いかを評価することによって、人間の視覚に基づいた色再現性評価処理を実現する。
【０２０１】
そして、色再現性評価処理において求められた人間の視覚に基づいた評価値を用いた色補正値を定義することによって、色補正処理における色補正値を実際の色味の感覚的な変化に関係付けることが出来る色補正処理を実現することが出来る。
【０２０２】
以上、本実施形態によれば、視覚特性に基づく目標値と許容値を用い、補正後の目標値を評価することで、補正内容を感覚的／数値的に把握することができる。
【０２０３】
【第２の実施形態】
本実施形態では、色再現性評価を行う出力デバイスの色再現範囲の外郭上における色度点を評価対象色とする場合に、色再現性評価装置において、プリンタ色再現域情報に基づき、色度点の明度をもつ目標色等色相線と、近傍領域のプリンタ色再現域外郭との交点を求め、獲得した交点を目標色座標値として決定する。また、色度点の明度をもつ許容域等色相線と、近傍領域のプリンタ色再現域外郭との交点を求め、それらを許容域色座標として決定することによって、許容域内外判別を施す場合における、プリンタ色再現域を踏まえた判別を実現する。
【０２０４】
図２２を用いて本実施形態の説明をする。図２２において、評価対象色２２０７に対して、２２０１は目標色等色相線、２２０２および２２０５はそれぞれ許容域等色相線を表す。ここで第１の実施形態の処理に基づいて目標色座標値２２０４及び許容域両座標値２２０９、２２１０がそれぞれ求められたものとしたときに、プリンタの色再現可能な色域が２２０８によって示される点線であった場合、許容域両座標値２２０９、及び２２１０はプリンタ色再現域の外側に存在していることとなる。
【０２０５】
つまり、色再現範囲内の十分に内側にある点においては、第１の実施形態における手法のみでも良いが、外郭近傍の点である場合は、目標色座標値や許容域両座標値の一方もしくは両方が、プリンタ色再現域の外側に存在する場合が考えられるので、この場合においては、プリンタ色再現域２２０８に対する許容域等色相線２２０２との交点座標２２０９および許容域等色相線２２０５との交点座標２２０６をそれぞれ求め、プリンタ色再現域内における座標値を用いて色再現性評価を行う。
【０２０６】
また、色補正値決定においても、目標色等色相線と、近傍領域のプリンタ色再現域外郭との交点を求め、獲得した交点を評価対象色の目標色とし、さらに許容域等色相線と、近傍領域のプリンタ色再現域外郭との交点を求め、それを色補正可能範囲とすることで、色補正値においてもプリンタ色再現域を踏まえた色補正値を決定することが可能となる。
【０２０７】
なお、評価対象色に対する評価値を求め、また色補正値を決定するにあたり、本実施形態による手法と上記第１の実施形態における手法とを切り替えることができるような構成であっても良い。
１．機能構成
（１）画像処理部の構成１（色再現性評価部）
図２３を用いて、本実施形態にかかる画像処理部１０５について説明する。本実施形態にかかる画像処理部１０５は、色再現性評価部を有し、以下の構成を備える。
【０２０８】
２３０１は、評価対象色データ記憶装置であり、端子２３０６を通じて入力された、評価対象となる色を測色した均等表色系のＬａｂ色空間座標値を格納する。評価対象色データ記憶装置２３０１へは、入力デバイスＩ／Ｆ１０７を介して測色器から均等表色系のＬａｂ色空間座標値が格納されても良いし、操作部１０４を介して色座標値が直接入力されても良い。また、評価対象色データ記憶装置２３０１には、評価対象色の色の属性を示す色属性情報（例えば、Ｒｅｄ、Ｇｒｅｅｎ、Ｂｌｕｅ・・等）が、評価対象色のＬａｂ色空間座標値に関連付けられて格納される。
【０２０９】
２３０２は、評価対象色について色再現性評価を行う色再現性評価装置である。色再現性評価装置２３０２において、評価対象色における目標色および許容域のＬａｂ色空間座標値が算出され、目標・許容域座標データメモリ２３０４に格納される。再現性評価装置２３０２において評価された結果及び評価値は、評価結果格納装置２３０３において、評価対象色のＬａｂ色空間座標値に対応付けられて格納される。目標・許容域座標データメモリ２３０４に格納された目標色および許容域のＬａｂ色空間座標値、および評価結果格納装置２３０３に格納された評価値は、表示画面生成装置２３０５において生成された表示画面に組み込まれ、端子２３０７を介して送信され、モニタ１０６上に表示される。
【０２１０】
（２）画像処理部の構成２（色補正部）
さらに、画像処理部１０５は、色再現性評価結果を用いて色補正を行う色補正部を有し、当該色補正部は以下の構成を持つ。
【０２１１】
モニタ１０６において、評価対象色における目標色および許容域の色座標値および評価値が表示され、その結果に基づいて、ユーザが許容域内において色補正対象色に対する色補正値を決定し、操作部１０４を通じて入力する。
【０２１２】
ユーザから入力された色補正値は、色補正値記憶装置４２４に格納され、また、色補正処理を行う為のプロファイル作成指示があると、図２に示したプロファイル作成部と同様の構成を持つプロファイル作成部４１１（図２の２０１乃至２１４は図４の４１１乃至４２４に対応）が動作し、色補正値記憶装置４２４に格納された色補正値に基づいてプロファイルを作成し、該プロファイルの出力を行う（これらの処理は、図２と同様であるため、説明は省略する）。
２．色再現性評価部の説明
（１）色再現性評価部の詳細構成
図２４は、色再現性評価装置２３０２における構成を示すブロックである。２４０１は、評価対象色データ記憶装置２３０１より読み出した、評価対象となる色の色属性情報およびＬａｂ色空間座標値を格納する評価対象色データ格納部である。
【０２１３】
ＨＶＣ色空間参照データメモリ２４０２にはＨＶＣ−Ｌａｂ変換情報が格納されており、適宜他の処理部におけるＨＶＣ−Ｌａｂ座標値の変換において用いられる。
【０２１４】
目標色相データメモリ２４０３においては、ＨＶＣ色空間の色相情報のデータ形式で、評価対象色の色属性情報に対する目標色相が格納されている。
【０２１５】
許容色相データメモリ２４０４においては、ＨＶＣ色空間の色相情報のデータ形式で、評価対象色の色属性情報に対する、両許容域色相（許容域色相Ａおよび許容域色相Ｂ）が格納されている。
【０２１６】
評価対象色データ変換部２４０５では、評価対象色データ格納部２４０１より評価対象色のＬａｂ色空間座標値を読み出し、目標色座標値と許容域色座標値を求めるための値（明度情報、彩度情報）と、色再現性評価において用いる値（色相角）とを算出し、その結果を、Ｌａｂ色空間座標値とともに評価対象色・目標・許容座標データメモリ２４０７に格納する。
【０２１７】
目標・許容座標設定部２４０６においては、評価対象色・目標・許容座標データメモリ２４０７に格納された明度情報と、目標色相データメモリ２４０５もしくは許容色相データメモリ２４０４より獲得された色相（目標色相、両許容域色相）とによって、Ｌａｂ色空間座標値としての目標色等色相線情報もしくは許容域等色相線情報が設定される。
【０２１８】
設定された目標色等色相線情報もしくは許容域等色相線情報は、目標・許容域等色相線データメモリ２４１１に格納される。
【０２１９】
出力デバイス色域データ格納部２４０９には、プリンタ色域記憶装置４１５より読み込まれた、Ｌａｂ色空間座標値であるプリンタ色再現域情報が格納してある。
【０２２０】
出力デバイス色域データ格納部２４０９に格納されたプリンタ色再現域情報より、出力デバイス色域外郭算出部２４１０において、プリンタ色再現域の外郭に関するＬａｂ色空間座標値（外郭座標情報）が算出される。
【０２２１】
等色相線算出部２４１２においては、評価対象色の明度情報と目標色相もしくは許容域色相より、Ｌａｂ色空間上の評価対象色の明度における目標色相もしくは許容域色相の等色相線の色座標値（等色相線情報）を算出し、目標・許容域等色相線データメモリ２４１１に格納する。
【０２２２】
交点算出部２４１４においては、目標・許容域等色相線データメモリ２４１１に格納されている目標色等色相線情報もしくは許容域等色相線情報と、プリンタ色再現域の外郭に関するＬａｂ色空間座標情報（外郭座標情報）によって、目標色等色相線とプリンタ色再現域外郭との交点座標、両許容域等色相線とプリンタ色再現域外郭との交点座標が算出される。算出された交点座標情報は、評価対象色・目標・許容座標データメモリ２４０７に格納され、それぞれ目標色座標値および許容域両座標値として設定される。
【０２２３】
評価処理部２４０８では、評価対象色・目標・許容座標データメモリ２４０７に格納された目標色座標値及び許容域両座標値に基づいて、評価対象色ごとに色再現性評価を行い、その評価結果を評価値格納メモリ２４１３に格納する。
【０２２４】
色再現性評価結果には、評価対象色の色属性情報、許容域内外判定結果、評価値、及び目標色のＬａｂ色空間座標と評価対象色のＬａｂ色空間座標との距離ΔＥがそれぞれ格納されている。
【０２２５】
本実施形態における全体的な処理は、第１の実施形態における図４に示すフローチャートに示されるものと同様であるが、目標色、許容域のＬａｂ色空間における座標を設定する際の処理が異なるものである。
【０２２６】
よって、第１の実施形態に対して異なる処理に関する部分のみ以下に詳細に説明する。
【０２２７】
（２）目標・許容座標設定部の説明
▲１▼目標色座標設定処理
図２５に示すフローチャートは、目標・許容座標設定部２４０６における、色再現性評価における目標色を設定する処理を示すフローチャートである。
【０２２８】
ステップＳ２５０１において、プリンタ色域記憶装置４１５に格納されているプリンタ色再現域情報を獲得、出力デバイス色域データ格納部２４０９に格納する。
【０２２９】
ステップＳ２５０２において、評価対象色・目標・許容座標データメモリ２４０７の評価対象色データメモリ領域１６０１に格納されている評価対象色の明度情報Ｖｐを獲得する。
【０２３０】
ステップＳ２５０３において、評価対象色・目標・許容座標データメモリ２４０７の評価対象色データメモリ領域１６０１に格納されている評価対象色の彩度情報Ｃｐを獲得する。
【０２３１】
ステップＳ２５０４において、評価対象色の色属性情報より、目標色相データメモリ２４０５を参照して、ＨＶＣ色空間の色相情報のデータ形式で、評価対象色の色属性情報に対する目標色相を獲得する。
【０２３２】
ステップＳ２５０５において、明度情報Ｖｐ、彩度情報Ｃｐ、目標色相より、ＨＶＣ色空間参照データメモリ２４０２に格納されているＨＶＣ−Ｌａｂ変換情報に基づいて、目標色のＬａｂ色空間座標（Ｌｔ，ａｔ，ｂｔ）を求める。
【０２３３】
ステップＳ２５０６において、ステップＳ２５０５によって求められた目標色のＬａｂ色空間座標（Ｌｔ，ａｔ，ｂｔ）に対して、出力デバイス色域データ格納部２４０９におけるプリンタ色再現域情報のＬａｂ色空間情報に対する内外判定を行う。
【０２３４】
ステップＳ２５０６において、目標色のＬａｂ色空間座標（Ｌｔ，ａｔ，ｂｔ）が、プリンタ色再現域内であった場合は、ステップＳ２５０８において、ステップＳ２５０５で求めた目標色のＬａｂ色空間座標（Ｌｔ，ａｔ，ｂｔ）を評価対象色の目標色座標値として設定する。
【０２３５】
ステップＳ２５０７において、目標色のＬａｂ色空間座標（Ｌｔ，ａｔ，ｂｔ）がプリンタ色再現域外であった場合は、ステップＳ２５０９において、出力デバイス色域データ格納部２４０９におけるプリンタ色再現域のＬａｂ色空間情報より、評価対象色の明度情報Ｖｐにおける外郭座標情報を出力デバイス色域外郭算出部２４１０において求め、また、等色相線算出部２４１２において算出された、評価対象色の明度情報Ｖｐにおける目標色相の等色相線情報を格納した目標・許容域等色相線データメモリ２４１１より、評価対象色の明度情報Ｖｐにおける目標色相における等色相線情報を獲得し、外郭座標情報との交点を交点算出部２４１４において算出し、この交点座標を目標色座標値として設定する。
【０２３６】
ステップＳ２５１０において、評価対象色の目標色座標値より、評価対象色の目標色における色相角ｈｔを式（１）によって求める。
【０２３７】
ステップＳ２５１１において、評価対象色の目標色のＬａｂ色空間座標および色相角ｈｔを、評価対象色・目標・許容座標データメモリ２４０７に格納する。
【０２３８】
以上のフローチャートによる処理によって、人間の視覚特性に応ずると同時にプリンタ色再現域を考慮した評価対象色の目標色に関する情報が求められた。
【０２３９】
▲２▼許容域色座標設定処理
図２６は、目標・許容座標設定部２４０６における、色再現性評価における許容域色座標を設定する処理を示すフローチャートである。
【０２４０】
なお、許容域に関しては目標色座標点をはさみ２座標を求めるが、本フローチャートでは、２点を求める処理は同じであるため、許容域色座標１点を求める処理について説明する。
【０２４１】
ステップＳ２６０１において、プリンタ色域記憶装置４１５に格納されているプリンタ色再現域情報を獲得する。
【０２４２】
ステップＳ２６０２において、評価対象色・目標・許容座標データメモリ２４０７に格納されている評価対象色の明度情報Ｖｐを獲得する。
【０２４３】
ステップＳ２６０５において、評価対象色・目標・許容座標データメモリ２４０７に格納されている評価対象色の彩度情報Ｃｐを獲得する。
【０２４４】
ステップＳ２６０４において、評価対象色の色属性情報より、許容色相データメモリ２４０４を参照して、ＨＶＣ色空間の色相情報のデータ形式で、評価対象色の色属性情報に対する許容域色相を獲得する。
【０２４５】
ステップＳ２６０５において、明度情報Ｖｐ、彩度情報Ｃｐ、許容域における色相値より、ＨＶＣ色空間参照データメモリ２４０２に格納されているＨＶＣ−Ｌａｂ変換情報に基づいて、許容域におけるＬａｂ色空間座標値を求め、許容域色座標として設定する。
【０２４６】
ステップＳ２６０６において、ステップＳ２６０５によって求められた許容域のＬａｂ色空間座標に対して、出力デバイス色域データ格納部２４０９におけるプリンタ色再現域情報のＬａｂ色空間情報に対する内外判定を行う。
【０２４７】
ステップＳ２６０７において、許容域のＬａｂ色空間座標が、プリンタ色再現域内であった場合は、ステップＳ２６０８において、ステップＳ２６０５で求めた許容域のＬａｂ色空間座標を許容域色座標として設定する。
【０２４８】
ステップＳ２６０７において、許容域のＬａｂ色空間座標が、プリンタ色再現域外であった場合は、ステップＳ２６０９において、出力デバイス色域データ格納部２４０９におけるプリンタ色再現域のＬａｂ色空間情報より、評価対象色の明度情報Ｖｐにおける外郭座標情報を出力デバイス色域外郭算出部２４１０において求め、また、等色相線算出部２４１２において算出された、評価対象色の明度情報Ｖｐにおける許容域の等色相線情報を格納した目標・許容域等色相線データメモリ２４１１より、評価対象色の明度情報Ｖｐにおける許容域における等色相線情報を獲得し、外郭座標情報との交点を交点算出部２４１４において算出し、この交点座標を許容域色座標として設定する。
【０２４９】
ステップＳ２６１０において、許容域色座標値より、許容域色座標値における色相角を式（１）によって求める。
【０２５０】
ステップＳ２６１１において、許容域におけるＬａｂ色空間座標値および色相角、評価対象色・目標・許容座標データメモリ２４０７に格納する。
【０２５１】
以上のフローチャートによる処理によって、人間の視覚特性に応ずると同時にプリンタ色再現域を考慮した許容域情報が求められた。
【０２５２】
▲３▼プリンタ色再現域外の場合の目標色座標設定処理
図２７におけるフローチャートによって、図２５におけるステップＳ２５０９において、および図２６におけるステップＳ２６０９において算出したＬａｂ色空間座標がプリンタ色再現域外であったときの処理を詳細に説明する。
【０２５３】
ステップＳ２７０１において、プリンタ色域記憶装置４１５に格納されているプリンタ色再現域情報を獲得する。
【０２５４】
ステップＳ２７０２において、評価対象色の色属性情報より、目標色相データメモリ２４０５もしくは許容色相データメモリ２４０４を参照して、ＨＶＣ色空間の色相情報のデータ形式で、評価対象色の色属性情報に対する目標色相もしくは許容域色相を獲得する。
【０２５５】
ステップＳ２７０５において、評価対象色・目標・許容座標データメモリ２４０７の評価対象色データメモリ領域１６０１に格納されている評価対象色の明度情報Ｖｐを獲得する。
【０２５６】
ステップＳ２７０４において、等色相線算出部２４１２において、ＨＶＣ色空間における評価対象色の明度情報Ｖｐにおける目標色相もしくは許容域色相をもち、彩度が０からプリンタ色再現域のもつ最大彩度までを満足するＬａｂ色空間における等色相線の色座標値を算出し、目標・許容域等色相線データメモリ２４１１に格納する。
【０２５７】
等色相線の色座標値は連続する線についての情報を取得する構成であってもよいし、離散的に連続する座標点の場合には、等色相線として必要な彩度における座標値を補間することによって求めるような構成であっても良い。
【０２５８】
図２８に、後者の例における算出した等色相線情報を格納する目標・許容域等色相線データメモリ２４１１の一例を示す。データメモリ２８０１は、等色相線設定対象明度であるＬ＊＝Ｌ１（Ｖｐ）における等色相線をあらわす離散的なＬａｂ座標データの集合となっている。
【０２５９】
２８０２−２８０８における左端におけるインデックスは等色相線を求める際に、等色相線に対して彩度の低い順に番号をふったものであり、対応する等色相線上のａｂ座標点がそれぞれ格納される。
【０２６０】
ステップＳ２７０５において、出力デバイス色域データ格納部２４０９におけるプリンタ色再現域のＬａｂ色空間座標値より、評価対象色の明度情報Ｖｐにおける外郭座標情報を出力デバイス色域外郭算出部２４１０において求め、また、目標・許容域等色相線データメモリ２４１１に格納されている評価対象色の明度情報Ｖｐにおける等色相線情報と、外郭座標情報との交点座標を交点算出部２４１４において算出する。
【０２６１】
ステップＳ２７０６において、求めた交点座標を目標色座標もしくは許容域色座標として設定する。
【０２６２】
なお、本実施形態においては、評価対象色がプリンタ色再現域の外郭上に存在する最大彩度の点であるかどうかをあらかじめ判別し、最大彩度点であった場合は、常に、目標色及び許容域をプリンタ色再現域の外郭上の点として設定し、色再現性評価を行うものであっても良い。
【０２６３】
以上の説明から明らかなように、本実施形態にかかるＵ／Ｉは、上記手法によって求められた色補正可能領域および推奨目標値を表示する機能を有し、ユーザは当該表示を見ながら色補正値を決定することができるため、プリンタ色再現域を考慮した色補正値を決定することが出来る。
【０２６４】
また、本実施形態にかかるプロファイル作成部は、色補正値記憶装置に格納された色補正値を参照することによって、プリンタ色再現域を考慮した変換用プロファイルを作成するため、プリンタ色再現域を考慮した色補正処理を実現する。
【０２６５】
また、色再現性評価を行うにあたっては、人間の視覚において同じ色味をもつ色の変化を表す目標色等色相線および許容域等色相線を求めておき、当該許容域等色相線によって挟まれる領域内にあるか否かによって評価をしたり、目標色等色相線上の同じ彩度を持つ色との距離によって評価したりすることで、人間の視覚に基づいた色再現性評価を実現する。
【０２６６】
そして、人間の視覚に基づいた評価値を用いた色補正値を定義することによって、色補正値を実際の色味の感覚的な変化に関係付けることができるとともに、出力デバイスの色再現可能な色域を考慮した色補正処理を実現することが出来る。
【０２６７】
【他の実施形態】
＜記憶媒体＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【０２６８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【０２６９】
この場合、記憶媒体から読み出されたプログラムコード自体が前述した実施形態の機能を実現することになり、そのプログラムコードを記憶した記憶媒体は本発明を構成することになる。
【０２７０】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【０２７１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【０２７２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２７３】
【発明の効果】
以上説明したように本発明によれば、入力カラー画像信号から出力カラー画像信号へ色変換する場合の色補正において、人間の視覚特性とのずれをなくし、かつ補正内容を定量的に把握することが可能となる。
【図面の簡単な説明】
【図１】本発明の実施形態で共通に用いられる画像処理装置の概略構成を示すブロック図である。
【図２】従来の画像処理装置の構成を示すブロック図である。
【図３】従来の画像処理装置における色域写像装置の処理の流れを示すフローチャートである。
【図４】本発明の第１の実施形態にかかる画像処理装置の構成を示すブロック図である。
【図５】本発明の第１の実施形態にかかる画像処理装置の構成を示すブロック図の詳細を示す図である。
【図６】本発明の第１の実施形態にかかる画像処理装置における処理の流れを示すフローチャートである。
【図７】本発明の第１の実施形態にかかる画像処理装置における処理の流れを示すフローチャートである。
【図８】本発明の第１の実施形態にかかる画像処理装置における処理の流れを示すフローチャートである。
【図９】本発明の第１の実施形態にかかる画像処理装置における処理の流れを示すフローチャートである。
【図１０】本発明の第１の実施形態にかかる画像処理装置における処理の流れを示すフローチャートである。
【図１１】本発明の第１の実施形態にかかる画像処理装置における処理の流れを示すフローチャートである。
【図１２】色再現評価における目標色および許容域の関係を示す図である。
【図１３】本発明の第１の実施形態にかかる画像処理装置において、色再現評価の評価値を求める概念図である。
【図１４】本発明の第１の実施形態にかかる画像処理装置における目標色相データメモリおよび許容色相データメモリの一例を示す図である。
【図１５】本発明の第１の実施形態にかかる画像処理装置における評価対象色データ格納部の構成の一例を示す図である。
【図１６】本発明の第１の実施形態にかかる画像処理装置における評価対象色・目標・許容座標データメモリの構成の一例を示す図である。
【図１７】本発明の第１の実施形態にかかる画像処理装置における評価値格納メモリの構成の一例を示す図である。
【図１８】本発明の第１の実施形態にかかる画像処理装置におけるＵ／Ｉの一例を示した図である。
【図１９】本発明の第１の実施形態にかかる画像処理装置における色補正値記憶装置の構成の一例を示す図である。
【図２０】本発明の第１の実施形態にかかる画像処理装置における処理の流れを示すフローチャートである。
【図２１】本発明の第１の実施形態にかかる画像処理装置における処理の流れを示すフローチャートである。
【図２２】色再現評価における目標および許容域の関係を示す図である。
【図２３】本発明の第２の実施形態にかかる画像処理装置の構成を示すブロック図である。
【図２４】本発明の第２の実施形態にかかる画像処理装置の構成を示すブロック図の詳細を示す図である。
【図２５】本発明の第２の実施形態にかかる画像処理装置における処理の流れを示すフローチャートである。
【図２６】本発明の第２の実施形態にかかる画像処理装置における処理の流れを示すフローチャートである。
【図２７】本発明の第２の実施形態にかかる画像処理装置における処理の流れを示すフローチャートである。
【図２８】本発明の第２の実施形態にかかる画像処理装置における目標・許容域等色相線データメモリの構成の一例を示す図である。
【図２９】従来の画像処理装置の概略構成を示すブロック図である。
【図３０】本発明の概略を説明するための図である。
【符号の説明】
１０１…　ＣＰＵ
１０２…　ＲＯＭ
１０５…　ＲＡＭ
１０４…　操作部
１０５…　画像処理部
１０６…　モニタ
１０７…　入力デバイスＩ／Ｆ
１０８…　出力デバイスＩ／Ｆ
２０１…　プロファイル作成部
２０２…　ＲＡＭ
２０３…　補間装置
２０４…　入力色域記憶装置
２０５…　プリンタ色域記憶装置
２０６…　写像パラメータ作成装置
２０７…　色域写像装置
２０８…　プロファイル作成装置
２０９…　端子
２１０…　端子
２１１…　端子
２１２…　端子
２１３…　端子
２１４…　色補正値記憶装置
４０１…　評価対象色データ記憶装置
４０２…　色再現性評価装置
４０５…　評価結果格納装置
４０４…　目標・許容域座標データメモリ
４０５…　表示画面生成装置
４０６…　端子
４０７…　端子
４１１…　プロファイル作成部
４１２…　ＲＡＭ
４１３…　補間装置
４１４…　入力色域記憶装置
４１５…　プリンタ色域記憶装置
４１６…　写像パラメータ作成装置
４１７…　色域写像装置
４１８…　プロファイル作成装置
４１９…　端子
４２０…　端子
４２１…　端子
４２２…　端子
４２３…　端子
４２４…　色補正値記憶装置
５０１…　評価対象色データ格納部
５０２…　ＨＶＣ色空間参照データメモリ
５０５…　目標色相データメモリ
５０４…　許容色相データメモリ
５０５…　評価対象色データ変換部
５０６…　目標・許容座標設定部
５０７…　評価対象色・目標・許容座標データメモリ
５０８…　評価処理部
５０９…　評価値格納メモリ
１２０１…　目標色等色相線
１２０２…　許容域等色相線
１２０５…　許容域等色相線
１２０４…　赤色
１２０５…　赤色
１２０６…　赤色
１２０７…　評価対象色
１２０８…　目標等色相角線
１２０９…　許容等色相角線
１２１０…　許容等色相角線
１３０１…　目標色座標点
１３０２…　評価対象色座標点
１３０５…　許容域色座標点
１３０４…　色相角
１３０５…　色相角
１４０１…　Ｒｅｄ目標色相・許容域色相格納メモリ
１４０２…　Ｇｒｅｅｎ目標色相・許容域色相格納メモリ
１４０５…　Ｂｌｕｅ目標色相・許容域色相格納メモリ
１４０４…　Ｃｙａｎ目標色相・許容域色相格納メモリ
１４０５…　Ｍａｇｅｎｔａ目標色相・許容域色相格納メモリ
１４０６…　Ｙｅｌｌｏｗ目標色相・許容域色相格納メモリ
１４０７…　ユーザ設定色目標色相・許容域色相格納メモリ
１４０８…　ユーザ設定色目標色相・許容域色相格納メモリ
１５０１…　評価対象色データ格納領域
１５０２…　評価対象色データ格納領域
１５０５…　評価対象色データ格納領域
１６０１…　評価対象色・目標・許容座標データメモリ領域
１６０２…　評価対象色・目標・許容座標データメモリ領域
１６０５…　評価対象色・目標・許容座標データメモリ領域
１６０４…　評価対象色・目標・許容座標データメモリ領域
１７０１…　評価値格納メモリ領域
１７０２…　評価値格納メモリ領域
１７０５…　評価値格納メモリ領域
１８０１…　Ｕ／Ｉ
１８０２…　ポインタ
１８０３…　ポインタ
１８０４…　色補正ポインタ
１８０５…　色補正可能領域
１８０６…　色補正不可能領域
１８０７…　色補正不可能領域
１８０８…　移動動作設定ボタン
１８０９…　表示部
１８１０…　表示部
１８１１…　表示部
１８１２…　移動動作設定ボタン
１８１５…　Ｒの色相角
１８１４…　Ｒの評価値
１８１５…　ポインタ
１８１６…　ポインタ
１８１７…　色補正ポインタ
１８１８…　色補正可能領域
１８１９…　色補正不可能領域
１８２０…　色補正不可能領域
１８２１…　移動動作設定ボタン
１８２２…　表示部
１８２５…　表示部
１８２４…　表示部
１８２５…　移動動作設定ボタン
１８２６…　Ｇの色相角
１８２７…　Ｇの評価値
１８２８…　ポインタ
１８２９…　ポインタ
１８３０…　色補正ポインタ
１８３１…　色補正可能領域
１８３２…　色補正不可能領域
１８３５…　色補正不可能領域
１８３４…　移動動作設定ボタン
１８３５…　表示部
１８３６…　表示部
１８３７…　表示部
１８３８…　移動動作設定ボタン
１８３９…　Ｂの色相角
１８４０…　Ｂの評価値
１８４１…　表示部切り替えボタン
１８４２…　表示部切り替えボタン
１８４５…　表示部切り替えボタン
１８４４…　表示部切り替えボタン
１８４５…　表示部切り替えボタン
１８４６…　表示部切り替えボタン
１８４７…　ＯＫボタン
１８４８…　キャンセルボタン
１８４９…　Ｕ／Ｉ
１８５０…　Ｕ／Ｉ
１８５１…　Ｕ／Ｉ
１９０１…　色補正値メモリ領域
１９０２…　色補正値メモリ領域
１９０５…　色補正値メモリ領域
１９０４…　色補正値メモリ領域
１９０５…　色補正値メモリ領域
１９０６…　色補正値メモリ領域
１９０７…　色補正値メモリ領域
２２０１…　目標色等色相線
２２０２…　許容域等色相線
２２０５…　許容域等色相線
２２０４…　目標色座標値
２２０５…　許容域色座標値
２２０６…　許容域色座標値
２２０７…　評価対象色
２２０８…　プリンタ色再現域
２２０９…　許容域初期座標値
２２１０…　許容域初期座標値
２４０１…　評価対象色データ格納部
２４０２…　ＨＶＣ色空間参照データメモリ
２４０５…　目標色相データメモリ
２４０４…　許容色相データメモリ
２４０５…　評価対象色データ変換部
２４０６…　目標・許容座標設定部
２４０７…　評価対象色・目標・許容座標データメモリ
２４０８…　評価処理部
２４０９…　出力デバイス色域データ格納部
２４１０…　出力デバイス色域外郭算出部
２４１１…　目標・許容域等色相線データメモリ
２４１２…　等色相線算出部
２４１５…　評価値格納メモリ
２４１４…　交点算出部
２８０１…　Ｌ＊＝Ｌ１における等色相線データ格納メモリ
２８０２…　等色相線ａｂ座標格納メモリ
２８０５…　等色相線ａｂ座標格納メモリ
２８０４…　等色相線ａｂ座標格納メモリ
２８０５…　等色相線ａｂ座標格納メモリ
２８０６…　等色相線ａｂ座標格納メモリ
２８０７…　等色相線ａｂ座標格納メモリ
２８０８…　等色相線ａｂ座標格納メモリ
２９０１…　ＣＰＵ
２９０２…　ＲＯＭ
２９０５…　ＲＡＭ
２９０４…　操作部
２９０５…　画像処理部
２９０６…　モニタ
２９０７…　入力デバイスＩ／Ｆ
２９０８…　出力デバイスＩ／Ｆ
【図１】
2004104604.tif 000003
【図２】
2004104604.tif 000004
【図３】
2004104604.tif 000005
【図４】
2004104604.tif 000006
【図５】
2004104604.tif 000007
【図６】
2004104604.tif 000008
【図７】
2004104604.tif 000009
【図８】
2004104604.tif 000010
【図９】
2004104604.tif 000011
【図１０】
2004104604.tif 000012
【図１１】
2004104604.tif 000013
【図１２】
2004104604.tif 000014
【図１３】
2004104604.tif 000015
【図１４】
2004104604.tif 000016
【図１５】
2004104604.tif 000017
【図１６】
2004104604.tif 000018
【図１７】
2004104604.tif 000019
【図１８】
2004104604.tif 000020
【図１９】
2004104604.tif 000021
【図２０】
2004104604.tif 000022
【図２１】
2004104604.tif 000023
【図２２】
2004104604.tif 000024
【図２３】
2004104604.tif 000025
【図２４】
2004104604.tif 000026
【図２５】
2004104604.tif 000027
【図２６】
2004104604.tif 000028
【図２７】
2004104604.tif 000029
【図２８】
2004104604.tif 000030
【図２９】
2004104604.tif 000031
【図３０】
2004104604.tif 000032